(57)【要約】【課題】セラミック製の押圧作動部材における連結軸の固定を安定かつ確実に、さらに容易に行うことができるようにしたバンドの中留構造を提供することを目的とする。【解決手段】押圧作動部材４の受け孔４ｂにＣリング７を装着しておき、このＣリング７内に連結軸６の一端部６ａを嵌入することにより、連結軸６の一端部６ａを受け孔４ｂに保持固定する。【選択図】図５
0003168936.tif 000002
【実用新案登録請求の範囲】
【請求項１】
バンドの端部が設けられる可動部材と、
前記可動部材の側方に並んで配されて該可動部材を開閉可能に軸支する外板部材と、
前記外板部材の一側部に端部が露出し、かつ該外板部材内を移動するように設けられた押圧作動部材と、
前記外板部材の他側部に配され、かつ前記可動部材と係脱自在な突起部が設けられた係止部材と、
前記外板部材を貫通して前記係止部材と前記押圧作動部材とを移動可能に連結する連結軸とを備えたバンドの中留構造であって、
バンドを構成する駒部材の少なくとも外表面部分が、セラミック材により成形されてなるバンドに使用されるバンドの中留構造において、
前記押圧作動部材をセラミック材により成形し、前記連結軸を前記押圧作動部材に形成した受け孔に弾性管体を介して固定したことを特徴とするバンドの中留構造。
【請求項２】
同一構造の前記押圧作動部材を前記外板部材における両側に対称配置したことを特徴とする請求項１に記載のバンドの中留構造。
【請求項３】
前記弾性管体が、軸方向に溝が形成されている金属製のＣリングであることを特徴とする請求項１に記載のバンドの中留構造。
【請求項４】
前記弾性管体が、周方向に突起が形成されている金属製のカプサチューブであることを特徴とする請求項１に記載のバンドの中留構造。
【考案の詳細な説明】
【技術分野】
【０００１】  本考案は、時計バンドや装飾品用のバンドに適用され、一対のバンド端部を連結する中留構造に関する。
【背景技術】
【０００２】  本考案に係る中留は、使用者の腕などに捲回された環状の腕時計用バンドに設けられて、腕時計用バンドを緩めたり締め付けたりするためのものであり、腕時計用バンドの一部に取り付けられ、片開き式あるいは両開き式に回動させることにより、腕時計を腕から取り外したり、取り付けたりするためのものである。【０００３】  ところで、近年、バンドに高級感を持たせるため、バンドにおいて独特の風合いを呈するセラミック製の駒体からなる時計バンドが市販されている。この種の時計バンドには、高級感のある中留として本考案に係る中留のような観音開き型の中留が使用されることが多い。【０００４】  前記中留は、通常、成型性の良い金属製の構成部材からなるが、セラミック製駒体に整合させるため中留もセラミック製にて構成したいという要求がある。これに対応するため本件出願人等は、特許文献１に示すように、時計用バンドに使用される中留構造において中留本体をセラミックスで製作することを提案した。
【先行技術文献】
【特許文献】
【０００５】
【特許文献１】特開２０１０−２９３５５号公報
【考案の概要】
【考案が解決しようとする課題】
【０００６】  時計バンド用の中留の構成は、細かい加工を必要とする構成部材からなっている。そして、中留の開閉を行うために、使用者が押圧作動しやすいように、通常、中留の本体側部から突出する押圧作動部材（引用文献１の場合では係止部材７）が設けられる構成になっている。【０００７】  前記押圧作動部材には、他の構成部材と同様に、連結される部材を保持固定するための部分や部材が設けられる。そして、その部位には連結を確実かつ容易にするために位置精度が要求されるともに、連結部材を受けるための機械的強度も要求される。【０００８】  セラミック製の部材における課題の一つに、セラミックの機械的強度における、所謂、ネバリが金属などと比較して小さいことが挙げられる。このため、時として、ピンや軸体などを部材の受け孔に圧入する際に、該受け孔の周部にクラックが発生してしまうことがある。【０００９】  特に、バンドの中留の構成部材は全体寸法が小く、かつ小さな部品に細かな形状加工が施されるため、部材をセラミック製にする場合には、部品連結の圧入を安定かつ確実に、さらに容易に行えるようにすることが製造上の技術的課題の一つである。【００１０】  そこで本考案は、前記従来の課題を解決し、セラミック製の押圧作動部材における連結軸の固定を安定かつ確実に、さらに容易に行うことができるようにしたバンドの中留構造を提供することを目的とする。
【課題を解決するための手段】
【００１１】  本考案のバンドの中留構造は、バンドの端部が設けられる可動部材と、前記可動部材の側方に並んで配されて該可動部材を開閉可能に軸支する外板部材と、前記外板部材の一側部に端部が露出し、かつ該外板部材内を移動するように設けられた押圧作動部材と、前記外板部材の他側部に配され、かつ前記可動部材と係脱自在な突起部が設けられた係止部材と、前記外板部材を貫通して前記係止部材と前記押圧作動部材とを移動可能に連結する連結軸とを備えたバンドの中留構造であって、バンドを構成する駒部材の少なくとも外表面部分が、セラミック材により成形されてなるバンドに使用されるバンドの中留構造において、前記押圧作動部材をセラミック材により成形し、前記連結軸を前記押圧作動部材に形成した受け孔に弾性管体を介して固定したことを特徴とする。【００１２】  また、本考案は、同一構造の前記押圧作動部材を前記外板部材における両側に対称配置したことを特徴とする。
また、本考案は、前記弾性管体が、軸方向に溝が形成されている金属製のＣリングであることを特徴とする。
また、本考案は、前記弾性管体が、周方向に突起が形成されている金属製のカプサチューブであることを特徴とする。
【考案の効果】
【００１３】  本考案のバンドの中留構造によれば、中留外部に露出するセラミック製の押圧作動部材と係止部材とを連結する連結軸を、押圧作動部材の止め孔に対して弾性管体を介して嵌入固定することができるため、連結軸をセラミック製の押圧作動部材の止め孔に、直接圧入する場合に比して、その圧入嵌合が安定かつ確実にさらに容易に行うことができる。【００１４】  よって、セラミック製のバンドの側部から押圧作動部材が突出する構成のものであっても、前記のように押圧作動部材をセラミックにて製造することができるようになったことにより、中留を含む全体がセラミックの整合のとれた高級感のあるバンドを提供することが容易になる。
【図面の簡単な説明】
【００１５】
【図１】本考案に係る中留の実施形態を適用したバンドの中留部分を示す斜視図である。
【図２】本実施形態の中留とバンドの開放状態を示す斜視図である。
【図３】本実施形態においてバンドを取り除いた中留部分の斜視図である。
【図４】本実施形態の中留の開放状態を示す斜視図である。
【図５】中留の実施形態１の押圧作動部材と関連部材との断面図である。
【図６】中留の実施形態１の押圧作動部材と関連部材との斜視図である。
【図７】中留の実施形態１の押圧作動部材と関連部材との分解斜視図である。
【図８】中留の実施形態１の一対の押圧作動部材と関連部材との分解斜視図である。
【図９】中留の実施形態１の係止状態の断面図である。
【図１０】中留の実施形態１の係止解除時の状態の断面図である。
【図１１】中留の実施形態２の押圧作動部材と関連部材との分解斜視図である。
【図１２】中留の実施形態２の一対の押圧作動部材と関連部材との分解斜視図である。
【考案を実施するための形態】
【００１６】  以下に本考案の好適な実施形態を図面にて説明する。
【００１７】  図１〜図４において、１は観音開き型の中留、２，２は一端部にバンドＢ１，Ｂ２の端部が連結された可動部材、３は、可動部材２，２の他端部が回動自在に軸支され、可動部材２，２を内溝３ａ，３ｂ内に収納する外板部材、４，４は、外板部材３における内溝３ａ，３ｂ間の隔壁部３ｃ部分の外側に突出し、バンドＢ１，Ｂ２の両外側部から露出するように配設された一対の押圧作動部材である。
【００１８】  図５〜図７において、５は押圧作動部材４の一方の受け孔４ａに収納された戻しばね、６は押圧作動部材４の他方の受け孔４ｂに一端部６ａが保持固定された連結軸、７は、押圧作動部材４の他方の受け孔４ｂに挿入され、挿入された状態で連結軸６の一端部６ａが内部に嵌入されるＣリングである。Ｃリング７は、前記のように連結軸６の一端部６ａが嵌め込まれることにより、連結軸６の一端部６ａを受け孔４ｂに固定する弾性管体であって、軸方向に溝７ａが形成されている。また、８は押圧作動部材４の内壁面に挿着されてＣリング７の抜けを防止する平板部材である。
【００１９】  ９は連結軸６の他端部６ｂをカシメなどにより保持固定する複数の平板材からなる係止部材、１０，１０は、連結軸６の他端部６ｂに隣接して、内方へ突出するように係止部材９，９にカシメ固定されたピン形状の突起部、１１は連結軸６が挿入される軸挿入孔である。
【００２０】  図８に示すように、前記構成の押圧作動部材４とその関連する部材は、一対のものが対称状態で外板部材３の隔壁部３ｃ部分の両側に設けられた凹部３ｄにそれぞれ配される。隔壁部３ｃに形成された３つの貫通孔１２における中央には、連結軸６が移動可能に挿入され、また両側の貫通孔１２には係止部材９の突起部１０，１０が挿入され、突起部１０，１０の先端部は、貫通孔１２を通って可動部材２に設けられている係止孔２ａに係脱可能に係止される。
【００２１】  図９に示すように、組立状態では、各係止部材９における一対の突起部１０が、押圧作動部材４が配される側とは反対側の外板部材３における両側の貫通孔１２に挿入されて、突起部１０の先端部が可動部材２の係止孔２ａに着脱可能に係止されている。また、連結軸６の一端部６ａは、貫通孔１２を通って対向する押圧作動部材４の受け孔４ａに前記のように保持固定され、また反対端部は、戻しばね５により突起部１０と貫通孔１２との係止が維持される方向に付勢されている。
【００２２】  この状態は、中留１が閉鎖して可動部材２と外板部材３とが、係止孔２ａと突起部１０とによって係合して、バンドＢ１，Ｂ２の端部が閉じている状態である。
【００２３】  図１０は図９に示す係止状態を解放して中留１を開くときの状態を示しており、使用者が外板部材３に設けられた押圧作動部材４の露出端を指などで内方（矢印方向）へ押圧することにより、押圧作動部材４と共に連結軸６と係止部材９とが移動し、係止部材９の突起部１０が外方へ移動する。これにより、突起部１０と可動部材２の係止孔２ａとの係合が解除され、可動部材２が外板部材３に対して回動することができる状態になる。
【００２４】  なお、図１１，図１２に示す本考案の実施形態２は、基本的構成は実施形態１と同様であるが、弾性管体が異なっている。実施形態２では、弾性管体として、周内方向に突出する突起２０ａが形成されている金属製のカプサチューブ２０を用いている。このカプサチューブ２０を連結軸６の一端部６ａに嵌着し、かつ押圧作動部材４の他方の受け孔４ｂに嵌め込み、連結軸６の一端部６ａを受け孔４ｂに固定する。
【産業上の利用可能性】
【００２５】  本考案は、各種バンド類、特に装身具などの身体に着ける各種のバンドの中留に適用される。
【符号の説明】
【００２６】１  中留
２  可動部材
３  外板部材
４  押圧作動部材
４ｂ  受け孔
５  戻しばね
６  連結軸
７  Ｃリング
７ａ  Ｃリングの溝
９  係止部材
１０  突起部
２０  カプサチューブ
２０ａ  カプサチューブの突起
【図１】
0003168936.tif 000003
【図２】
0003168936.tif 000004
【図３】
0003168936.tif 000005
【図４】
0003168936.tif 000006
【図５】
0003168936.tif 000007
【図６】
0003168936.tif 000008
【図７】
0003168936.tif 000009
【図８】
0003168936.tif 000010
【図９】
0003168936.tif 000011
【図１０】
0003168936.tif 000012
【図１１】
0003168936.tif 000013
【図１２】
0003168936.tif 000014